(57)【特許請求の範囲】
【請求項１】
演出を行う演出装置を備えた遊技機において、
前記演出装置は、
設置部に配設された基板取付部材と、
前記基板取付部材の前面に配設され、該基板取付部材の前側に位置する装飾部に向けて光を照射する発光体が設けられた発光基板と、
前記設置部に移動可能に配設され、前記基板取付部材の後側を第１位置と第２位置との間で往復移動する支持部材および該支持部材に配設された装飾部材を備える可動体と、
前記基板取付部材に前後に貫通して形成された長孔および該長孔を囲繞するように前後方向に突出して前記基板取付部材に形成されたガイド壁からなり、前記支持部材に設けられた案内部材が前記長孔に挿通されて、該案内部材を後側への変位を規制するよう支持すると共に、該案内部材を支持部材が第１位置および第２位置の間を移動する間に亘って案内する案内部とを備え、
前記発光基板は、前記案内部の延在方向に沿って延在する複数の延在部を備え、該発光基板を前記基板取付部材に配設した状態で、各延在部が案内部の前記ガイド壁に沿うように配置されて該案内部の少なくとも一部を囲うよう構成した
ことを特徴とする遊技機。
【請求項２】
前記支持部材は、軸支持部を一端に備えて該軸支持部の径方向に延在する腕部の他端に前記装飾部材が配設され、該支持部材は、前記軸支持部が前記設置部に配設された機構取付部材に作動軸を介して回動自在に支持され、
前記軸支持部は、前記作動軸が挿通される内筒部と、該内筒部の外側に離間して位置する外筒部とを備え、両筒部の間に環状空間が画成されると共に、前記外筒部に、前記環状空間を外部に連通する開口部が設けられ、
前記支持部材の前記腕部に、後側に開放する配線用凹部が、前記軸支持部から前記装飾部材の配設位置までの間に亘って形成され、
前記機構取付部材に配設された中継基板に一端が接続されたフラットケーブルは、前記軸支持部の前記環状空間に、前記外筒部の前記開口部から幅方向を前記作動軸と平行な姿勢で引き込まれて、前記環状空間内において内筒部の外側を巻くように引き回されると共に、該フラットケーブルは、前記軸支持部と前記腕部との連結部分において幅方向が前記作動軸の軸方向と交差するように折り返されて、その姿勢のまま腕部に沿って前記配線用凹部内を前記装飾部材の配設位置まで引き回されて、該装飾部材に配設された装飾用発光基板に該フラットケーブルの他端が接続され、
前記フラットケーブルは、固定手段によって前記腕部に固定されるよう構成され、
前記中継基板は、前記フラットケーブルの一端が接続されるコネクタが実装される実装面が、前記作動軸の軸方向に沿う姿勢で前記機構取付部材に配設されると共に、前記コネクタは、前記フラットケーブルが幅方向を前記作動軸の軸方向に沿う姿勢で差し込まれる差込口を、前記実装面に沿う方向に開口した姿勢で前記中継基板に実装され、
前記支持部材の前記腕部が前記軸支持部から上方に延在する第１位置において、前記機構取付部材に設けた突部より下側に、前記コネクタの差込口および前記軸支持部の前記外筒部の開口部が位置し、前記コネクタと前記外筒部の開口部との間の前記フラットケーブルが前記突部の上側を引き回されるよう構成した請求項１記載の遊技機。
【発明の詳細な説明】
【技術分野】
【０００１】
本発明は、動作により演出を行う演出装置を備えた遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の窓口を介して複数の図柄を変動表示する液晶式やドラム式等の図柄表示装置(表示装置)を後方から臨ませると共に、該遊技盤における枠状装飾体の下方位置に、パチンコ球(遊技球)の入賞により図柄表示装置での図柄変動を開始させる始動入賞装置(始動入賞手段)や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組み合わせで停止することにより所謂大当りが発生し、前記特別入賞装置が開放して多数の賞球を獲得し得るよう構成されている。
【０００３】
また、パチンコ機では、前記枠状装飾体等に発光体を備えた発光装置や所要の動作を行う可動体を備えた可動演出装置を配設し、図柄表示装置での図柄変動演出に合わせて発光体を点滅したり可動体を動作させることにより、視覚的な演出効果を向上させることが行われている(例えば、特許文献１参照)。
【先行技術文献】
【特許文献】
【０００４】
【特許文献１】特開２００８−３５９７５号公報
【発明の概要】
【発明が解決しようとする課題】
【０００５】
ここで、パチンコ機では、近年の図柄表示装置の大型化に伴い、前記枠状装飾体における窓口を大きくして、インパクトのある図柄変動演出を行う傾向にあり、枠状装飾体における前記発光装置や可動演出装置を配設し得るスペースが小さくなっている。すなわち、可動演出装置や発光装置の配設位置が限定されてしまい、演出の興趣を向上する効果は限定的であった。
【０００６】
すなわち本発明は、従来の技術に係る遊技機に内在する前記課題に鑑み、これを好適に解決するべく提案されたものであって、演出装置のコンパクト化を図って該演出装置の配置に係る設計の自由度を高めて興趣を向上し得る遊技機を提供することを目的とする。
【課題を解決するための手段】
【０００７】
前記課題を解決するために、本願の請求項１に記載の発明では、
演出を行う演出装置(N1,N2)を備えた遊技機において、
前記演出装置(N1,N2)は、
設置部(22)に配設された基板取付部材(50)と、
前記基板取付部材(50)の前面に配設され、該基板取付部材(50)の前側に位置する装飾部(52a,52b)に向けて光を照射する発光体(51a)が設けられた発光基板(51)と、
前記設置部(22)に移動可能に配設され、前記基板取付部材(50)の後側を第１位置と第２位置との間で往復移動する支持部材(65,75)および該支持部材(65,75)に配設された装飾部材(68,76)を備える可動体(64,74)と、
前記基板取付部材(50)に前後に貫通して形成された長孔(53a)および該長孔(53a)を囲繞するように前後方向に突出して前記基板取付部材(50)に形成されたガイド壁(53b)からなり、前記支持部材(65,75)に設けられた案内部材(66)が前記長孔(53a)に挿通されて、該案内部材(66)を後側への変位を規制するよう支持すると共に、該案内部材(66)を支持部材(65,75)が第１位置および第２位置の間を移動する間に亘って案内する案内部(53)とを備え、
前記発光基板(51)は、前記案内部(53)の延在方向に沿って延在する複数の延在部(54b,54c,54d)を備え、該発光基板(51)を前記基板取付部材(50)に配設した状態で、各延在部(54b,54c,54d)が案内部(53)の前記ガイド壁(53b)に沿うように配置されて該案内部(53)の少なくとも一部を囲うよう構成したことを要旨とする。
【０００８】
請求項１の発明によれば、可動体を案内する案内部を、発光基板が配設される基板取付部材に設けているので、案内部を設けるための別部材を省略することができ、省スペース化を図り得る。すなわち、演出装置のコンパクト化を図ることができるので、該演出装置の配置に係る設計の自由度が高くなり、演出装置を効果的な位置に配置して可動体の動作や発光体の光による演出の興趣を向上し得る。また、案内部によって可動体の後側への変位は防止されるので、該可動体が移動時に他の部材と干渉しないように他の部材との間に大きな隙間を設ける必要はなく、より省スペース化を図り得る。
更に、可動体を案内する案内部によって、基板取付部材に対する発光基板の位置決めができる。
【０００９】
請求項２に記載の発明では、前記支持部材(65)は、軸支持部(65a)を一端に備えて該軸支持部(65a)の径方向に延在する腕部(65b)の他端に前記装飾部材(68)が配設され、該支持部材(65)は、前記軸支持部(65a)が前記設置部(22)に配設された機構取付部材(57)に作動軸(61a)を介して回動自在に支持され、
前記軸支持部(65a)は、前記作動軸(61a)が挿通される内筒部(71)と、該内筒部(71)の外側に離間して位置する外筒部(72)とを備え、両筒部(71,72)の間に環状空間(73)が画成されると共に、前記外筒部(72)に、前記環状空間(73)を外部に連通する開口部(72a)が設けられ、
前記支持部材(65)の前記腕部(65b)に、後側に開放する配線用凹部(65d)が、前記軸支持部(65a)から前記装飾部材(68)の配設位置までの間に亘って形成され、
前記機構取付部材(57)に配設された中継基板(69)に一端が接続されたフラットケーブル(70)は、前記軸支持部(65a)の前記環状空間(73)に、前記外筒部(72)の前記開口部(72a)から幅方向を前記作動軸(61a)と平行な姿勢で引き込まれて、前記環状空間(73)内において内筒部(71)の外側を巻くように引き回されると共に、該フラットケーブル(70)は、前記軸支持部(65a)と前記腕部(65b)との連結部分において幅方向が前記作動軸(61a)の軸方向と交差するように折り返されて、その姿勢のまま腕部(65b)に沿って前記配線用凹部(65d)内を前記装飾部材(68)の配設位置まで引き回されて、該装飾部材(68)に配設された装飾用発光基板(68b)に該フラットケーブル(70)の他端が接続され、
前記フラットケーブル(70)は、固定手段によって前記腕部(65b)に固定されるよう構成され、
前記中継基板(69)は、前記フラットケーブル(70)の一端が接続されるコネクタ(69a)が実装される実装面が、前記作動軸(61a)の軸方向に沿う姿勢で前記機構取付部材(57)に配設されると共に、前記コネクタ(69a)は、前記フラットケーブル(70)が幅方向を前記作動軸(61a)の軸方向に沿う姿勢で差し込まれる差込口を、前記実装面に沿う方向に開口した姿勢で前記中継基板(69)に実装され、
前記支持部材(65)の前記腕部(65b)が前記軸支持部(65a)から上方に延在する第１位置において、前記機構取付部材(57)に設けた突部(57a)より下側に、前記コネクタ(69a)の差込口および前記軸支持部(65a)の前記外筒部(72)の開口部(72a)が位置し、前記コネクタ(69a)と前記外筒部(72)の開口部(72a)との間の前記フラットケーブル(70)が前記突部(57a)の上側を引き回されるよう構成したことを要旨とする。
請求項２の発明によれば、中継基板に一端が接続されて軸支持部に設けた環状空間に引き込まれるフラットケーブルは、幅方向が作動軸の軸方向に沿う姿勢となるよう構成したので、可動体が作動軸を中心として回転する際に該フラットケーブルに大きな負荷が加わることはない。また、中継基板を、フラットケーブルの一端が接続されるコネクタの実装面が作動軸の軸方向に沿う姿勢で設置するよう構成し、中継基板との接続部から装飾用発光基板との接続部までの間でのフラットケーブルの折り返しが１回で済むよう構成したので、該フラットケーブルの引き回し作業を容易にすると共に、折り反し部位が増加することによる断線の発生率を低減し得る。
また、支持部材における腕部の配線収容凹部を引き回されるフラットケーブルを、固定手段によって腕部に固定するよう構成したので、該フラットケーブルが変位するのを規制することができる。
更に、中継基板のコネクタと軸支持部の開口部との間のフラットケーブルを、機構取付部材に設けた突部の上側を引き回すよう構成したので、該フラットケーブルが下方に垂れるのを防ぐことができる。
本願には、次のような技術的思想が含まれている。
前記案内部材(66)は、前記支持部材(65,75)の移動方向と交差する方向に離間して該支持部材(65,75)に複数設けられると共に、各案内部材(66)を案内する前記案内部(53)が前記基板取付部材(50)に夫々設けられ、前記発光基板(51)における複数の案内部(53)の間に臨む部位に前記発光体(51a)が設けられていることを要旨とする。
この構成によれば、可動体の移動時の安定化を図り得ると共に、装飾部の非照明領域を最小限に止めることができる。
【００１０】
本願には、次のような技術的思想が含まれている。
前記支持部材(65,75)を移動させる駆動機構(56)は、前記基板取付部材(50)の後側に重ねて配置されていることを要旨とする。
この構成によれば、基板取付部材の後側に駆動機構を重ねて配置したので、演出装置の設置スペースをより小さくすることができる。
【発明の効果】
【００１１】
本発明に係る遊技機によれば、演出装置の設置スペースの省スペース化を図ることができると共に、演出の興趣を向上し得る。
【図面の簡単な説明】
【００１２】
【図１】実施例に係るパチンコ機を示す正面図である。
【図２】実施例に係る遊技盤を示す正面図である。
【図３】実施例に係る演出装置を配設した設置部材を示す正面図である。
【図４】実施例に係る設置部材から演出装置を分解した状態で示す概略斜視図である。
【図５】実施例に係る遊技盤の要部横断平面図である。
【図６】実施例に係る遊技盤における第１演出装置の配設部位を示す要部縦断側面図である。
【図７】実施例に係る第１演出装置を第１位置の状態で前側から見た概略斜視図である。
【図８】実施例に係る第１演出装置を第１位置の状態で後側から見た概略斜視図である。
【図９】実施例に係る第１演出装置における第１装飾部材および駆動機構を分解した状態で前側から見た概略斜視図である。
【図１０】実施例に係る第１演出装置における第１装飾部材および駆動機構を分解した状態で後側から見た概略斜視図である。
【図１１】実施例に係る第１演出装置におけるベース部材と第２装飾部材とを分解した状態で前側から見た概略斜視図である。
【図１２】実施例に係る第１演出装置におけるベース部材と第２装飾部材とを分解した状態で後側から見た概略斜視図である。
【図１３】実施例に係る第１演出装置の縦断側面図である。
【図１４】実施例に係る第１演出装置の横断平面図である。
【図１５】実施例に係る第１演出装置における第１支持部材の軸支持部を示す要部縦断正面図である。
【図１６】実施例に係る第２演出装置を第１位置の状態で前側から見た概略斜視図である。
【図１７】実施例に係る第２演出装置を第１位置の状態で後側から見た概略斜視図である。
【図１８】実施例に係る遊技盤を示す正面図であって、各演出装置が第２位置にある状態で示している。
【図１９】実施例に係る第１演出装置を第２位置の状態で前側から見た概略斜視図である。
【図２０】実施例に係る第１演出装置を第２位置の状態で後側から見た概略背面図である。
【図２１】実施例に係る第２演出装置を第２位置の状態で前側から見た概略斜視図である。なお、基板取付部材に一部の装飾部材が取り付けられている状態で示している。
【図２２】実施例に係る第２演出装置を第２位置の状態で後側から見た概略背面図である。なお、基板取付部材に一部の装飾部材が取り付けられている状態で示している。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」、「上」、「下」とは、特に断りのない限り、図１に示すようにパチンコ機を前側(遊技者側)から見た状態で指称する。
【実施例】
【００１４】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組み付けられると共に、遊技盤２０の後側に、図柄を変動表示可能な表示装置１７(図５,図６参照)が着脱し得るよう配設されている。また、中枠１２の前面側には、遊技盤２０を透視可能に保護する透明部材１３ａを窓部に備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。
【００１５】
前記表示装置１７は、後述する始動入賞口へのパチンコ球の入賞を契機として演出用の図柄(飾図という場合もある)を表示部１７ａに変動表示させる図柄変動演出を行うよう構成される。また表示装置１７では、図柄変動に関連して実行される各種の表示演出(リーチ演出、予告演出、報知演出等)を表示部１７ａに表示し得るようになっている。実施例では、前記表示装置１７として、各種図柄や表示演出に係る画像を表示可能な液晶パネルを収容ケースに収容した液晶表示装置が採用されるが、これに限られるものではなく、有機ＥＬ(Electro-Luminescence)を用いた表示装置、あるいはドラム式の表示装置やドットマトリックス式の表示装置等の各種図柄を停止および変動表示可能な従来公知の各種の表示装置を用いることができる。
【００１６】
前記前枠１３には、図１に示す如く、前記下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に配設された後述する枠状装飾体４２の左側の遊技領域２１ａをパチンコ球が流下する所謂「左打ち」と、該枠状装飾体４２の右側の遊技領域２１ａをパチンコ球が流下する所謂「右打ち」とを打ち分け得るようになっている。また、前枠１３の前部には、ＬＥＤ等の発光体による発光演出が可能なランプ装置１８や、音声や効果音を出力可能なスピーカ１９が配設されており、前記表示装置１７での図柄変動演出に合わせてランプ装置１８で発光演出を行ったりスピーカ１９で音声演出を行い得るよう構成されている。
【００１７】
(遊技盤２０について)
実施例の前記遊技盤２０は、図２に示すように、パチンコ球が流下可能な遊技領域２１ａが前面側に形成された板状部材(遊技領域形成部材)２１と、該板状部材２１の裏側に配設され、当該板状部材２１との間に収容空間２７(図５,図６参照)を画成する設置部材(収容空間画成部材)２２とから構成されている。前記板状部材２１は、合成樹脂材やベニヤ材等から所定板厚の略矩形状に形成されており、図２に示す如く、前面(盤面)に配設された略円形状の案内レール２３によりパチンコ球が流下可能な遊技領域２１ａが画成されている。実施例の板状部材２１は、アクリル樹脂から形成された透明板であって、前記収容空間２７を板状部材２１の前面側から透視し得るようになっている。また、前記板状部材２１と設置部材２２との間の収容空間２７には、各種演出を行う演出装置Ｎ１,Ｎ２(後述)が設置されており、透明な板状部材２１を介して遊技盤２０の前面側から当該収容空間２７内の演出装置Ｎ１,Ｎ２を遊技者が目視し得るよう構成されている。なお、前記表示装置１７は、設置部材２２の裏側に取り付けられて、後述するように設置部材２２に設けた開口部(可視部)２２ａおよび枠状装飾体４２(後述)の開口部４２ａを介して遊技盤２０の前側に視認可能に臨むよう構成される。
【００１８】
前記案内レール２３は、図２に示すように、板状部材２１の左下部から右上部に至るよう左方向に膨出する円弧状に形成された外レール２４と、板状部材２１の右上部、右下部および左上部に至るよう右方向に膨出する円弧状に形成された内レール２５とから構成されている。前記内レール２５は、外レール２４の右上端部に連接して板状部材２１の右上部から下部に亘って配設され、左端縁が右方に凹む円弧状に形成された盤面飾り部材２５ａと、板状部材２１の下部から左上部に亘って配設されて盤面飾り部材２５ａの下端部に連接し、前記外レール２４の右方(内側)に離間して位置するレール部材２５ｂとから構成され、該外レール２４およびレール部材２５ｂにより１個のパチンコ球が通過可能な発射通路２６が画成されている。ここで、前記内レール２５を構成するレール部材２５ｂは、前記板状部材２１の左上部に開放端が臨むよう配置されて、外レール２４との間に遊技領域２１ａに開口する発射口を画成するよう構成され、前記打球発射装置から発射されたパチンコ球が発射通路２６の下方開口から飛翔して、当該発射口から遊技領域２１ａ内に打ち出されるようになっている。
【００１９】
前記板状部材２１には、前後に貫通する装着口が前記遊技領域２１ａ内の適宜位置に開設されて、各装着口に対して各種の遊技盤設置部品が配設されている。なお、実施例の遊技盤２０には、遊技盤設置部品として枠状装飾体４２、第１の始動入賞部２９、第２の始動入賞部３０、第１の特別入賞部３１、第２の特別入賞部３２、普通入賞部３３,３４、ゲート部３５等を設置する装着口が形成されている。そして、前記遊技盤２０の板状部材２１において遊技領域２１ａの最下部位置に、該遊技領域２１ａの最下部位置まで流下したパチンコ球を遊技盤２０の外部に排出するアウト口３６が開設されている。すなわち、前記打球発射装置から発射されて遊技領域２１ａを流下するパチンコ球が前記遊技盤設置部品に設けられた入球部(第１の始動入賞部２９、第２の始動入賞部３０、第１の特別入賞部３１、第２の特別入賞部３２、普通入賞部３３,３４、ゲート部３５等)に入球することにより、入球した入球部に応じた賞球の払い出しや図柄変動演出の実行等の所定の遊技が行われ、遊技領域２１ａの最下部まで流下したパチンコ球がアウト口３６を介して機外に排出されるよう構成される。なお、前記装着口の形成数は、板状部材２１に対して取り付けられる遊技盤設置部品の配設位置や配設数等に応じて適宜に決定される。
【００２０】
また、前記板状部材２１には、前記遊技領域２１ａ内に多数の遊技釘３７が設けられると共に、後述する枠状装飾体４２の左側方に、遊技領域２１ａを流下するパチンコ球の接触に伴って回転する回転案内部材３８が回転自在に支持されており、遊技釘３７や回転案内部材３８との接触によりパチンコ球の流下方向が不規則に変化するよう構成されている。前記回転案内部材３８は、所謂「風車」とも称される部材であって、該回転案内部材３８の回転に伴ってパチンコ球を弾くように左右方向へ放出する部材である。
【００２１】
実施例の前記板状部材２１には、図２に示すように、前記案内レール２３で囲まれた遊技領域２１ａの略中央の大部分が開口する装着口に、前後に開口する枠状に形成された枠状装飾体４２が取り付けられ、該枠状装飾体４２の開口部４２ａの後方に、前記設置部材２２の開口部２２ａが位置するようになっている。すなわち、前記枠状装飾体４２の開口部４２ａの後方に前記表示装置１７の表示部１７ａが位置するよう構成されている。
【００２２】
また、前記板状部材２１には、前記枠状装飾体４２の下方位置(アウト口３６の直上位置)に形成された装着口(図示せず)に、遊技領域２１ａを流下するパチンコ球が入賞可能な第１の始動入賞部２９が配設されている。第１の始動入賞部２９は、パチンコ球が入賞可能な第１始動入賞口が遊技領域２１ａ内で常に上方開口する常時開放型の入賞部とされ、遊技盤２０の遊技領域２１ａを流下するパチンコ球の流下態様に応じて任意のタイミングで第１始動入賞口にパチンコ球が入球(入賞)し得るよう構成されている。また、前記板状部材２１には、前記第１の始動入賞部２９の左側方(枠状装飾体４２の左下方位置)に形成された装着口(図示せず)に、遊技領域２１ａを流下するパチンコ球が入賞可能な普通入賞部３３が複数設けられた普通入賞ユニット３９が配設されている。なお、各普通入賞部３３は、前記第１の始動入賞部２９と同様に、パチンコ球が入賞可能な普通入賞口が遊技領域２１ａ内で常に上方開口する常時開放型の入賞部とされ、遊技盤２０の遊技領域２１ａを流下するパチンコ球の流下態様に応じて任意のタイミングで普通入賞口にパチンコ球が入球(入賞)し得るようになっている。
【００２３】
前記板状部材２１には、前記枠状装飾体４２の右側をパチンコ球が流下する遊技領域２１ａに、複数の装着口(図示せず)が上下離間して開設されており、上側の装着口から下側の装着口の順で、ゲート部３５、複合入賞ユニット４０が配設されている。前記ゲート部３５は、パチンコ球が通過可能なゲート入口およびゲート出口が遊技領域２１ａ内で常に上下に開口する常時開放型の入球部とされ、遊技盤２０の遊技領域２１ａを流下するパチンコ球の流下態様に応じて任意のタイミングでゲート入口をパチンコ球が入球(通過)して、ゲート出口を介して遊技領域２１ａに排出されるようになっている。前記複合入賞ユニット４０は、第２の始動入賞部３０、第１の特別入賞部３１および普通入賞部３４を備えている。
【００２４】
前記複合入賞ユニット４０は、第２の始動入賞部３０、第１の特別入賞部３１および普通入賞部３４を備えている。第２の始動入賞部３０は、パチンコ球が入賞可能な第２始動入賞口を駆動手段の駆動に伴って開放可能に開閉部材３０ａで閉鎖する開閉型の入賞部とされており、遊技盤２０の遊技領域２１ａを流下するパチンコ球の流下態様および駆動手段の駆動による開閉部材３０ａの開放動作タイミングに応じて第２始動入賞口にパチンコ球が入賞し得るよう構成されている。また、第１の特別入賞部３１は、パチンコ球が入賞可能な特別入賞口を駆動手段の駆動に伴って開放可能に開閉部材３１ａで閉鎖する開閉型の入賞部とされており、遊技盤２０の遊技領域２１ａを流下するパチンコ球の流下態様および図示しない駆動手段の駆動による開閉部材３１ａの開放動作タイミングに応じて特別入賞口にパチンコ球が入賞し得るよう構成されている。また、複合入賞ユニット４０の普通入賞部３４は、前記普通入賞ユニット３９に設けられた普通入賞部３３と同様に、パチンコ球が入賞可能な普通入賞口が遊技領域２１ａ内で常に上方開口する常時開放型の入賞部とされ、遊技盤２０の遊技領域２１ａを流下するパチンコ球の流下態様に応じて任意のタイミングで普通入賞口にパチンコ球が入球(入賞)し得るようになっている。
【００２５】
ここで、実施例のパチンコ機１０では、前記枠状装飾体４２の右側に画成されている遊技領域２１ａに臨むように、該枠状装飾体４２に第２の特別入賞部３２が配設されている。この第２の特別入賞部３２は、パチンコ球が入賞可能な特別入賞口を駆動手段の駆動に伴って開放可能に開閉部材３２ａで閉鎖する開閉型の入賞部とされており、遊技盤２０の遊技領域２１ａを流下するパチンコ球の流下態様および図示しない駆動手段の駆動による開閉部材３２ａの開放動作タイミングに応じて特別入賞口にパチンコ球が入賞し得るよう構成されている。
【００２６】
前記第１の始動入賞部２９、第２の始動入賞部３０、第１の特別入賞部３１、第２の特別入賞部３２および普通入賞部３３,３４の夫々は、各対応の入賞口に入賞したパチンコ球を検出する入賞検出センサ(図示せず)を備えており、各入賞検出センサがパチンコ機１０の裏側に配設された制御手段(図示せず)に配線接続されている。そして、第１および第２の始動入賞部２９,３０が備える入賞検出センサの何れかによるパチンコ球の検出(パチンコ球を検出した検出信号の入力)に伴い特図当り判定条件(当り判定条件)が成立するようになっている。特図当り判定条件が成立することで、特図当り(大当りや小当り)を生起させるか否かに関する特図当り判定が行われ、該判定結果が当りであった場合に、前記表示装置１７で行われる図柄変動演出の結果として所定の当り表示(例えば同一図柄の３つ揃い等)で飾図が確定停止表示されて、前記第１の特別入賞部３１の開閉部材３１ａまたは第２の特別入賞部３２の開閉部材３２ａを開放する遊技者に有利な当り遊技が付与されるよう構成されている。なお、第１の特別入賞部３１および第２の特別入賞部３２は、大当り遊技が付与される場合に、決定された大当りの種類に応じて特別入賞部３１,３２における開閉部材３１ａ,３２ａの開放動作パターンが異なるよう設定される。また、実施例のパチンコ機１０では、前記入賞検出センサがパチンコ球を検出することで賞球払出条件が成立するよう構成されており、当該賞球払出条件の成立に伴って制御手段が図示しない払出制御装置に制御信号を出力して、所定数の賞球が前記上球受け皿１４または下球受け皿１５に払い出されるようになっている。
【００２７】
前記ゲート部３５には、ゲート入口に入球して当該ゲート部３５を通過するパチンコ球を検出するゲートセンサ(図示せず)が設けられている。このゲートセンサは、パチンコ機１０の裏側に配設された制御手段に配線接続されており、該ゲートセンサから制御手段への球検出信号の入力(すなわちパチンコ球の検出)に伴って普図当り判定条件が成立するようになっている。そして、普図当り判定条件の成立に伴って普図当りを生起させるか否かに関する普図当り判定が行われ、該判定結果が当りの判定であった場合に、前記第２の始動入賞部３０の開閉部材３０ａが開放作動されて、当該第２始動入賞口が開放するよう構成されている。なお、実施例では、前記ゲートセンサがパチンコ球を検出することによっては賞球払出条件が成立しないよう設定されており、パチンコ球のゲート部３５の通過に伴って賞球が払い出されないようになっている。
【００２８】
(枠状装飾体４２について)
次に、前記枠状装飾体４２について詳細に説明する。前記枠状装飾体４２は、図２,図５,図６に示す如く、前記板状部材２１に開設された枠状装飾体４２が配設される装着口の内側に沿って延在する環状に形成された枠状基部４３と、該枠状基部４３に設けられて前記板状部材２１の前面より前方に突出し、前記遊技領域２１ａと表示装置１７の表示部１７ａを区切る庇状部４４と、該庇状部４４の後縁から外方に延出する薄板状の台板部４５とを備える。そして、前記枠状基部４３を装着口に挿入すると共に台板部４５を板状部材２１の前面に当接した状態で、該台板部４５をネジ等の固定手段で板状部材２１に固定することで、枠状装飾体４２が板状部材２１に取り付けられて、該枠状装飾体４２の外側、具体的には庇状部４４と案内レール２３との間にパチンコ球が流下する遊技領域２１ａが画成されるようになっている。なお、枠状装飾体４２を板状部材２１に取り付けた状態で、庇状部４４の後端縁から外方に延出する台板部４５が板状部材２１の前面に沿って延在して、該台板部４５の前側をパチンコ球が通り得るよう構成される。また、枠状装飾体４２は、全体が透明な合成樹脂製とされており、透明な板状部材２１の前側に台板部４５を重ねた状態で、該台板部４５および板状部材２１を介して裏側を透視可能に構成されている。
【００２９】
前記枠状装飾体４２の庇状部４４は、枠状装飾体４２(台板部４５)の左側縁の略中間位置から上縁および右下縁に亘って連続して延在するよう設けられており、前記表示装置１７における表示部１７ａの前面側を横切ってパチンコ球が流下(落下)するのを規制している。また庇状部４４は、最上部位置から左右方向に下方傾斜するよう形成されて、遊技領域２１ａに打ち出されたパチンコ球が庇状部４４上で滞ることなく枠状装飾体４２の左側方または右側方へ誘導案内されるよう形成されている。
【００３０】
前記枠状装飾体４２には、図２に示す如く、前記開口部４２ａの下側(枠状装飾体４２の内周下縁部)に、ステージ４７が配設されると共に、開口部４２ａの左側に、前記遊技領域２１ａに開口して該遊技領域２１ａを流下するパチンコ球を枠状装飾体４２の内側(ステージ４７)に取り込む球導入部４８が設けられ、該球導入部４８がステージ４７に連通するよう構成される。そして、球導入部４８からステージ４７に通出されたパチンコ球は、ステージ４７上を左右に転動した後に、前記第１始動入賞口が設けられている遊技領域２１ａに排出される。また、枠状装飾体４２には、前記ステージ４７の形成位置の右上側に前記第２の特別入賞部３２が設けられており、該第２の特別入賞部３２の特別入賞口および開閉部材３２ａが、前記ゲート部３４および複合入賞ユニット４０の間の遊技領域２１ａに臨んでいる。
【００３１】
前記ステージ４７の後端縁には、左右方向の全長に亘って上側に向けて所定高さで立上がる透明壁４１(図６参照)が設けられ、ステージ４７上を転動するパチンコ球が表示装置１７の表示部１７ａ側に移動するのを該透明壁４１で防止している。また、透明壁４１の上端縁に、前記前枠１３における透明部材１３ａの裏面に近接する位置(透明部材１３ａとの間をパチンコ球が通過できない隙間となる位置)まで張り出す張出部４１ａ(図２に二点鎖線で示す)が設けられ、遊技釘３７に接触して跳ねてステージ４７に飛び込むパチンコ球が表示部１７ａ側に移動するのを該張出部４１ａで防止している。
【００３２】
前記枠状装飾体４２には、図２に示す如く、パチンコ機１０のモチーフとなる意匠が施された複数の装飾部品４６が、前記庇状部４４の内周縁部に設けられている。そして、本実施例では、装飾部品４６、庇状部４４および透明壁４１の張出部４１ａによって、前記表示装置１７の表示部１７ａを前側に臨ませる開口部４２ａが画成される。
【００３３】
(設置部材２２について)
前記設置部材(設置部)２２は、図３〜図６に示す如く、前記板状部材２１の外郭形状より小さい略矩形状に形成された背面板９０と、該背面板９０の外周縁部から前方に突出する外周壁部９１とから前方に開口した箱状に形成されて、該外周壁部９１の開口前端部を板状部材２１の裏面に当接させた状態で、当該板状部材２１と設置部材２２とがネジ止め固定される。そして、前記設置部材２１において前記板状部材２１との間に画成される前記収容空間２７に、動作により演出を行う複数の演出装置Ｎ１,Ｎ２が設置されて、設置部材２２を基材とする１つのユニットとして扱い得るようになっている。前記設置部材２２の背面板９０には、前記枠状装飾体４２の開口部４２ａと前後に整列する位置に、略矩形状の開口部２２ａが前後に開口するよう開設される。そして、背面板９０の裏面に配設した前記表示装置１７の表示部１７ａが、前記開口部２２ａおよび開口部４２ａを介して板状部材２１の前側に臨むようになっている。なお、以下の説明では、設置部材２２の背面板９０について、開口部２２ａに対する上下左右の各部位を、上板部９０ａ、下板部９０ｂ、左板部９０ｃ、右板部９０ｄと指称して区別する場合もある。また、外周壁部９１については、上板部９０ａ、下板部９０ｂ、左板部９０ｃ、右板部９０ｄに対応して上画壁部９１ａ、下画壁部９１ｂ、左画壁部９１ｃ、右画壁部９１ｄと指称して区別する場合もある。
【００３４】
前記左画壁部９１ｃは、図４,図５に示す如く、前側に向かうにつれて右画壁部９１ｄから離間するように階段状に形成されると共に、所定位置の段部に前側に突出する複数の第１固定部９２が設けられており、これら複数の第１固定部９２を介して前記左板部９０ｃの前側に第１演出装置(演出装置)Ｎ１が配設固定されるようになっている。また、前記右画壁部９１ｄは、図５に示す如く、前側に向かうにつれて左画壁部９１ｃから離間するように階段状に形成されると共に、所定位置の段部に前側に突出する複数の第２固定部９３が設けられており、これら複数の第２固定部９３を介して前記右板部９０ｄの前側に第２演出装置(演出装置)Ｎ１が配設固定されるようになっている。設置部材２２に配設される２つの演出装置Ｎ１,Ｎ２は、図３に示す如く、前記開口部２２ａを挟んで左右に対向し、後述する装飾部材６８,７６,６８,７６を前記枠状装飾体４２における開口部４２ａの縁部側の第１位置と、該第１位置より開口部中央側の第２位置(図１８参照)との間で動作する演出を行い得るよう構成される。
【００３５】
(第１演出装置Ｎ１について)
前記第１演出装置Ｎ１は、図７および図８に示すように、第１発光演出装置Ｈ１および第１可動演出装置Ｋ１を、後述する基板取付部材５０を挟んで前後の関係で組み付けて構成される。そして、前記第１演出装置Ｎ１は、前記設置部材２２に対して第１発光演出装置Ｈ１および第１可動演出装置Ｋ１を一体で着脱可能なユニット構造になっている。
【００３６】
(第１発光演出装置Ｈ１について)
前記第１発光演出装置Ｈ１は、第１演出装置Ｎ１を構成する部材の設置基体となる基板取付部材５０の前面に配設された発光基板５１と、該発光基板５１の前面に実装された複数の発光体５１ａとを備えている。基板取付部材５０は、図９に示す如く、板状の設置壁５０ａの外周縁部に前側に突出する壁部５０ｂを設けたトレー状の部材であって、設置壁５０ａの前面に前記発光基板５１が設置されて、該発光基板５１は設置壁５０ａおよび壁部５０ｂで画成される空間に収容されている。また、基板取付部材５０の前面には、発光基板５１の前側を覆うように光透過性の固定装飾部材(装飾部)５２ａ,５２ｂが配設されている。実施例では、基板取付部材５０に、パチンコ機１０のモチーフとなる意匠が前面に施されると共に着色された第１種固定装飾部材５２ａ,５２ａと、透明で光拡散処理が施された第２種固定装飾部材５２ｂとが配設されて、前記発光体５１ａを発光することで、種類の異なる固定装飾部材５２ａ,５２ｂを明輝し得るよう構成されている。
【００３７】
前記基板取付部材５０の壁部５０ｂに、前記設置部材２２の左画壁部９１ｃに設けられて前側に位置する複数の前記第１固定部９２に対応する位置の夫々に被固定部５０ｃが設けられており、該基板取付部材５０は、各被固定部５０ｃを対応する前記第１固定部９２の前側および左画壁部９１ｃの段部に当接位置させた状態で、該被固定部５０ｃが第１固定部９２にネジ止め固定されている。そして、設置部材２２に固定された基板取付部材５０の裏面と前記左板部９０ｃの前面との間に第１収容空間２７ａが画成されて、該第１収容空間２７ａに前記第１可動演出装置Ｋ１が収容されるようになっている(図５参照)。
【００３８】
前記基板取付部材５０には、図７,図９,図１０,図１４に示す如く、左右方向に延在する案内部５３が設けられている。案内部５３は、前後方向に貫通して左右方向に延在する長孔５３ａと、該長孔５３ａを囲繞するように前後方向に突出するガイド壁５３ｂとから構成される。案内部５３は、基板取付部材５０に上下に離間して複数(実施例では２つ)設けられている。そして、前記第１可動演出装置Ｋ１の後述する第１可動体６４が、該案内部５３,５３で案内されて第１位置と第２位置との間を往復移動し得るよう構成される。実施例では、第１可動体６４は、後述するように、機構取付部材５７に第１作動軸６１ａを介して回動自在に支持されて、第１位置と第２位置との間を往復移動し得るように構成されており、基板取付部材５０に設けられる案内部５３,５３は、第１作動軸６１ａを中心とした円弧状に延在するように形成される。案内部５３に関して、以後、図７において上側に位置する案内部５３を第１案内部５３と指称すると共に、下側に位置する案内部５３を第２案内部５３と指称する場合がある。
【００３９】
前記発光基板５１は、図９,図１０に示す如く、各案内部５３と対応する位置が切欠かれて、該発光基板５１が各案内部５３で案内される後述する第１案内部材６６に干渉しないよう構成される。発光基板５１は、第１および第２案内部５３,５３に干渉しない形状に形成された本体部５４ａと、該本体部５４ａに一体に形成されて右方向に延在する複数の延在部５４ｂ,５４ｃ,５４ｄとから構成される。具体的に本体部５４ａには、第１案内部５３の上側を左右方向に延在する第１延在部５４ｂと、第１案内部５３と第２案内部５３との間を左右方向に延在する第２延在部５４ｃと、第２案内部５３の下側を左右方向に延在する第３延在部５４ｄとが設けられている。そして、前記基板取付部材５０に発光基板５１を配設した状態で、本体部５４ａと３つの延在部５４ｂ,５４ｃ,５４ｄとによって、第１および第２案内部５３,５３を囲うように構成されている。言い替えれば、発光基板５１は、基板取付部材５０に設けられた案内部５３,５３の少なくとも一部を囲う形状に形成されている。
【００４０】
前記各延在部５４ｂ,５４ｃ,５４ｄの形状につき、より具体的に説明すると、第１延在部５４ｂにおける第１案内部５３(具体的にはガイド壁５３ｂ)と対向する下縁は、該第１案内部５３に略沿った略弧状に形成されている。また、第２延在部５４ｃにおける第１案内部５３(具体的にはガイド壁５３ｂ)と対向する上縁および第２案内部５３(具体的にはガイド壁５３ｂ)と対向する下縁は、対応する案内部５３,５３に略沿った略弧状に形成されている。更に、第３延在部５４ｄにおける第２案内部５３(具体的にはガイド壁５３ｂ)と対向する上縁は、該第２案内部５３に略沿った略弧状に形成されている。そして、前記基板取付部材５０に発光基板５１を取り付ける際に、各延在部５４ｂ,５４ｃ,５４ｄを対応する案内部５３,５３のガイド壁５３ｂに沿うよう配置することで、当該発光基板５１の基板取付部材５０に対する位置決めがなされるようになっている。
【００４１】
前記発光基板５１の前面には、前方に向けて光を照射するＬＥＤ等の前記発光体５１ａが複数実装されており、該発光体５１ａを発光させることで、前記固定装飾部材５２ａ,５２ｂに向けて後側から光を照射して該固定装飾部材５２ａ,５２ｂを明輝し得るよう構成されている(図５参照)。発光体５１ａは、図７,図９に示す如く、前記本体部５４ａおよび各延在部５４ｂ,５４ｃ,５４ｄの夫々の前面に実装されている。すなわち、発光基板５１における前記基板取付部材５０に設けられた複数の案内部５３,５３の間の位置、および該案内部５３,５３を囲む位置に発光体５１ａが配設されており、前記案内部５３,５３を避けるために発光基板５１を切欠いたことで固定装飾部材５２ａ,５２ｂに光を照射し得る領域が減少するのを抑制し得るようになっている。
【００４２】
(第１可動演出装置Ｋ１について)
前記第１可動演出装置Ｋ１は、該第１可動演出装置Ｋ１を構成する部材の設置基体となる機構取付部材５７と、所定の演出動作を行う可動体６４,７４と、この可動体６４,７４を移動させる駆動機構５６とを備えている。機構取付部材５７には、前側に突出するように複数の取付突部５７ａが設けられており、該取付突部５７ａを前記基板取付部材５０の裏側に設けた対応する受部５０ｄに夫々嵌合してネジ止め固定することで、機構取付部材５７が基板取付部材５０の後側に離間して取り付けられるよう構成される(図１３参照)。また、機構取付部材５７に、前記設置部材２２の左画壁部９１ｃに設けられて後側に位置する複数の第１固定部９２に対応する位置の夫々に被固定部５７ｂが設けられており、該機構取付部材５７は、各被固定部５７ｂを対応する前記第１固定部９２の前側に当接位置させた状態で、該被固定部５７ｂが第１固定部９２にネジ止め固定されている(図５参照)。すなわち、実施例の第１演出装置Ｎ１は、第１発光演出装置Ｈ１および第１可動演出装置Ｋ１における構成部材の設置基体となる基板取付部材５０および機構取付部材５７の夫々が設置部材２２に固定されている。また、被固定部５７ｂを第１固定部９２にネジ止め固定した状態で、基板取付部材５０の左側面が設置部材２２の左画壁部９１ｃの内側面に近接して該被固定部５７ｂと第１固定部９２との固定部を支点とした基板取付部材５０の前後方向の大きな撓みを規制し得るよう構成されている。
【００４３】
実施例の第１可動演出装置Ｋ１は、２つの可動体６４,７４を備え、両可動体６４,７４を１基の駆動モータ５８(後述)の駆動によって移動するよう構成されている。そこで、可動体６４,７４に関し、以後、図７において上側に位置する可動体６４を第１可動体６４と指称すると共に、下側に位置する可動体７４を第２可動体７４と指称する場合がある。
【００４４】
(駆動機構５６について)
前記駆動機構５６は、図９,図１０に示す如く、前記機構取付部材５７の前面に出力軸を後向きにして配設された駆動手段としての駆動モータ５８と、機構取付部材５７に配設されて該駆動モータ５８の回転力を第１および第２可動体６４,７４に伝達する伝達機構５９とを備える。この駆動機構５６は、機構取付部材５７を前記基板取付部材５０の後側に配設することで、該駆動機構５６も基板取付部材５０の後側に重なって配置される(図５,図１３,図１４参照)。そして、駆動モータ５８を正転方向および逆転方向に回転駆動することで、第１および第２可動体６４,７４が第１位置(図７,図８)と第２位置(図１９,図２０)との間を往復移動するよう構成される。なお、駆動モータ５８の回転方向について、可動体６４,７４を第１位置から第２位置へ移動させる方向を正転方向、可動体６４,７４を第２位置から第１位置へ移動させる方向を逆転方向と指称する場合もある。なお、前記駆動モータ５８と前記基板取付部材５０との間に、第１可動体６４の後述する第１支持部材６５を収容可能な隙間が画成されている(図１３,図１４参照)。
【００４５】
前記伝達機構５９は、前記駆動モータ５８の出力軸に連結された駆動歯車６０と、該駆動歯車６０に回転軸を挟む一方の側に従動歯車６２を介して噛合する第１作動歯車６１と、他方の側に複数(実施例では２つ)の従動歯車６２を介して噛合する第２作動歯車６３とを備え、駆動モータ５８を正転方向および逆転方向に回転駆動した際に、第１作動歯車６１と第２作動歯車６３とは相互に逆方向に回転するよう構成される。実施例では、伝達機構５９を構成する歯車６０,６１,６２,６２,６２,６３は、上下方向に並ぶように前記機構取付部材５７に回動自在に配設されている。具体的には、駆動歯車６０の上側に複数の従動歯車６２を挟んで第２作動歯車６３が位置すると共に、該駆動歯車６０の下側に従動歯車６２を挟んで第１作動歯車６１が位置している。
【００４６】
(第１可動体６４について)
前記機構取付部材５７には、図１３に示す如く、前記第１作動歯車６１に連結されて一体で回転する第１作動軸６１ａが回動自在に支持されており、該第１作動軸６１ａにおける機構取付部材５７の前面から突出する端部に、前記第１可動体６４が一体的に回転するように連結されている。この第１可動体６４は、長手方向の一端部に設けられた軸支持部６５ａを介して前記第１作動軸６１ａに連結された第１支持部材(支持部材)６５と、該第１支持部材６５における長手方向の他端部である延出端部に配設された第１装飾部材(装飾部材)６８とを備え、第１支持部材６５と第１装飾部材６８とは一体で移動するようになっている。第１支持部材６５は、図１３に示す如く、前記基板取付部材５０の後方に位置すると共に、該第１支持部材６５の延出端部に配設された第１装飾部材６８は、基板取付部材５０の外側に位置している。そして、第１可動演出装置Ｋ１では、第１可動体６４は、第１支持部材６５が基板取付部材５０の後側に重なって前記枠状装飾体４２における開口部４２ａの左側縁側の第１位置と、この第１位置より開口部４２ａ中央側に第１装飾部材６８が臨む第２位置(図１８参照)との間で第１可動体６４が往復移動するよう構成される。また、第１位置では、第１支持部材６５が前記基板取付部材５０と駆動モータ５８との間の隙間に収容されるようになっている。
【００４７】
前記第１支持部材６５の前面には、前記基板取付部材５０に設けた各案内部５３,５３と対応する位置に第１案内部材６６が夫々配設されている。実施例では、第１支持部材６５の前記軸支持部６５ａから延出する腕部６５ｂに、該腕部６５ｂの長手方向および幅方向に離間して２つの第１案内部材６６が配設されている。すなわち、第１支持部材６５には、該第１支持部材６５の移動方向と交差する方向に離間して複数の第１案内部材６６が配設されている。第１案内部材６６は、図１４に示す如く、腕部６５ｂの前面に突設されたボス部６５ｃが回転可能に挿通される軸受部６６ａと、該軸受部６６ａの前端に形成されて径方向に延出するフランジ６６ｂとを備える。また、ボス部６５ｃに、該ボス部６５ｃが挿通された軸受部６６ａを挟んでフランジ部６６ｂと反対側にリング体６７が回転可能に挿通されている。そして、第１案内部材６６は、軸受部６６ａが前記案内部５３の長孔５３ａに挿通されると共に、フランジ部６６ｂが案内部５３におけるガイド壁５３ｂの前側に位置する状態で、該長孔５３ａに沿って移動可能に支持される。すなわち、第１可動体６４は、２つの案内部５３,５３で案内されて前記第１位置と第２位置との間を安定して往復移動し得るようになっている。また、軸受部６６ａを長孔５３ａに挿通した状態で、第１案内部材６６のフランジ部６６ｂとリング体６７とが案内部５３におけるガイド壁５３ｂを前後に挟んで位置して第１可動体６４の前後方向の変位が規制されるようになっており、該第１可動体６４の軌道が変化することで他の部材に接触するのを防止し得るように構成されている。
【００４８】
前記第１装飾部材６８は、図９,図１０に示す如く、前記第１支持部材６５における腕部６５ｂの延出端に設けられたベース部６８ａと、該ベース部６８ａの前面に配設された装飾用発光基板６８ｂと、該装飾用発光基板６８ｂの前側を覆うレンズ部材６８ｄと、第１装飾部材６８の最前面に位置してレンズ部材６８ｄを前側から覆う装飾カバー体６８ｅとを備える。装飾カバー体６８ｅは、光透過性を有する合成樹脂を素材としてパチンコ機１０のモチーフに合わせた文字や図形等を表わす形状に形成されると共に、該装飾カバー体６８ｅには光拡散処理が施されている。また、装飾用発光基板６８ｂの前面に、ＬＥＤ等の発光体６８ｃが複数設けられている。また、レンズ部材６８ｄは、光透過性を有する合成樹脂を素材として、各発光体６８ｃと対向する位置にレンズ部が形成されると共に、その他の領域に光拡散処理が施されている。すなわち、発光体６８ｃを点灯することで、レンズ部材６８ｄを介して装飾カバー体６８ｅの広範囲に光が照射されて、該装飾カバー体６８ｅの全体が明輝されるようになっている。
【００４９】
(中継基板６９について)
前記機構取付部材５７には、前記第１支持部材６５の軸支持部６５ａを挟んで設置部材２２の開口部側とは反対側に、前記制御手段に配線接続される中継基板(基板)６９が基板取着部材８３を介して配設されている。中継基板６９は、図８,図１４,図１５に示す如く、板面が左右方向を向くと共に、該板面が第１可動体６４の軸方向に沿うように立てた状態で機構取付部材５７に配設される。また、中継基板６９における開口部２２ａの中央側を向く板面(実装面)に、前記第１装飾部材６８の装飾用発光基板６８ｂに接続するフラットケーブル７０の一端が接続されるコネクタ６９ａが、差込口を実装面に沿って上向きに開口した状態で配設されている。そして、コネクタ６９ａに一端が差込み接続されたフラットケーブル７０は、図１５に示す如く、幅方向を前記第１作動軸６１ａの軸方向に沿う姿勢(実施例では幅方向が前後方向を向く姿勢)で前記第１支持部材６５の軸支持部６５ａまで引き回されている。実施例では、第１可動体６４における軸支持部６５ａの左側方に、コネクタ６９ａの実装面を軸支持部６５ａに向けて中継基板６９が機構取付部材５７に配設されている。
【００５０】
(フラットケーブル７０の引き回し構造について)
前記第１支持部材６５の前記軸支持部６５ａは、図１５に示す如く、前記第１作動軸６１ａが挿通される内筒部７１と、該内筒部７１の外側に離間して位置する外筒部７２とを備え、該第１支持部材６５は、内筒部７１に第１作動軸６１ａが挿通固定されて該第１作動軸６１ａと一体的に回転するよう構成される。前記内筒部７１と外筒部７２との間に環状空間７３が画成されると共に、外筒部７２には、環状空間７３を外部に連通する開口部７２ａが接線方向に開放するように形成されている。また、第１支持部材６５における軸支持部６５ａから径方向に延在する前記腕部６５ｂは、裏側に開放する断面コ字状に形成されて、該腕部６５ｂの裏側には配線用凹部６５ｄが軸支持部６５ａから前記第１装飾部材６８の配設位置までの間に亘って形成されている(図１４参照)。そして、前記中継基板６９に一端が接続されたフラットケーブル７０は、前記軸支持部６５ａの環状空間７３に、外筒部７２の開口部７２ａから幅方向を第１作動軸６１ａと平行な姿勢のまま引き込まれている。また、環状空間７３内においてフラットケーブル７０は内筒部７１の外側を巻くように引き回され、該フラットケーブル７０は、軸支持部６５ａと腕部６５ｂとの連結部分において第１作動軸６１ａの径方向に沿うように折り返され、その姿勢のままフラットケーブル７０は腕部６５ｂの前記配線収容凹部６５ｄ内を延出端部まで引き回される。そして、該フラットケーブル７０の他端が装飾用発光基板６８ｂに接続されるようになっている。また、第１支持部材６５は非透明に構成されて、軸支持部６５ａの内部および腕部６５ｂの裏側を引き回されるフラットケーブル７０が前側から視認されないよう構成される。なお、配線収容凹部６５ｄを引き回されるフラットケーブル７０は、接着テープ等の固定手段によって腕部６５ｂに固定されて、該フラットケーブル７０が後側に変位するのを規制するよう構成してある。
【００５１】
ここで、前記外筒部７２の開口部７２ａは、図１５に示す如く、前記第１可動体６４の第１位置において上向きに開口し、前記コネクタ６９ａと該開口部７２ａとの間において逆Ｕ字の形態で引き回されているフラットケーブル７０が開口部７２ａに折曲することなく引き込まれるよう構成される。また、コネクタ６９ａと開口部７２ａとの間のフラットケーブル７０は、前記取付突部５７ａの上側を引き回されることで、該フラットケーブル７０が下方に垂れるのを該取付突部５７ａで防ぐようになっている。
【００５２】
(フラットケーブル７０について)
ここで、前記中継基板６９と装飾用発光基板６８ｂとを接続する前記フラットケーブル７０は、平板型の導体をシート状の絶縁体で被覆した可橈性を有するリボン状の配線材(フレキシブルフラットケーブル)であって、幅に対して厚みが極めて小さく設定されている。そして、フラットケーブル７０は、姿勢を変更するために折り返された部分が第１支持部材６５に保持されており、該折り返し部分から前記中継基板６９(コネクタ６９ａ)との接続部までの間の可撓部７０ａは、第１可動体６４の移動に伴って変形するよう構成されており、該可撓部７０ａが変形することで第１可動体６４のスムーズな移動を許容するよう構成される。また、フラットケーブル７０は、前記中継基板６９を立てた状態で設置することで、該中継基板６９との接続部から装飾用発光基板６８ｂとの接続部までの間での折り返しは１回で済むよう構成されている。すなわち、フラットケーブル７０の引き回し作業を容易にすると共に、折り反し部分が増加することによる断線の発生率を低減し得るようになっている。なお、前記コネクタ６９ａから上方に引き回されるフラットケーブル７０は、前記基板取着部材８３によって中継基板６９との間で挟持されて、可撓部７０ａが変形する際にフラットケーブル７０がコネクタ６９ａから抜けるのを防止している。
【００５３】
(第２可動体７４について)
前記機構取付部材５７に第２作動軸６３ａを介して回動自在に支持された前記第２作動歯車６３の裏面は、該機構取付部材５７の裏側に露出しており(図８参照)、該裏面に前記第２可動体７４が一体的に移動するように連結されている。この第２可動体７４は、図１１,図１２に示す如く、長手方向の一端部に設けられた軸支持部７５ａを介して前記第２作動歯車６３に連結された第２支持部材７５と、該第２支持部材７５における長手方向の他端部である延出端部に配設された第２装飾部材７６とを備え、第２支持部材７５と第２装飾部材７６とは一体で移動するようになっている。第２支持部材７５は、前記機構取付部材５７の後方に位置すると共に、該第２支持部材７５の延出端部に配設された第２装飾部材７６は、前記基板取付部材５０の外側に位置している。そして、第１可動演出装置Ｋ１では、第２可動体７４は、前記枠状装飾体４２における開口部４２ａの左側縁側の第１位置と、この第１位置より開口部４２ａの中央側に第２装飾部材７６が臨む第２位置(図１８参照)との間で第２可動体７４が往復移動するよう構成される。
【００５４】
(転がり軸受７７について)
前記機構取付部材５７の裏面に取付ベース５５が配設され、該取付ベース５５における機構取付部材５７から下方に延出する下端部(延出端部)に、前記第２装飾部材７６を摺動自在に支持する転がり軸受７７が配設されている。実施例では、取付ベース５５に配設された軸受取着部材７８の前側に、転がり軸受７７が、右側(開口部２２ａの中央前側)に向かうにつれて上側に変位する右上がりの傾斜姿勢で配設されている。この転がり軸受７７は、図１３に示す如く、前記軸受取着部材７８に固定された固定受部７７ａと、第２装飾部材７６に固定された可動受部７７ｂと、固定受部７７ａと可動受部７７ｂとの間に位置し、該両受部７７ａ,７７ｂに接触する複数の転動体(図示せず)を離間して転動可能に保持する中受部７７ｃとから構成される。そして、固定受部７７ａに対して中受部７７ｃが転動体によって移動可能に支持されると共に、中受部７７ｃに対して可動受部７７ｂが転動体によって移動可能に支持され、これによって固定受部７７ａに対して可動受部７７ｂに固定される第２装飾部材７６が第１位置と第２位置との間を直線的に往復移動可能に支持される(図７,図８,図１９,図２０参照)。実施例では、固定受部７７ａ、可動受部７７ｂおよび中受部７７ｃが何れも金属素材から形成されると共に、転動体として金属球が用いられており、転がり軸受７７として所謂ボール軸受構造が採用されている。
【００５５】
また、前記軸受取着部材７８に、前記転がり軸受７７と平行なガイド孔７８ａが形成されており、ガイド孔７８ａに、前記第２装飾部材７６に設けられた第２案内部材７９が移動在に挿通支持されている。すなわち、第２装飾部材７６は、転がり軸受７７とガイド孔７８ａとによって安定して平行移動し得るよう構成されている。なお、第２案内部材７９は、第２装飾部材７６の後述するベース部７６ａに突設されたボス部と、該ボス部をガイド孔７８ａに挿通された状態で軸受取着部材７８の前後に位置するリング体とから構成されて、該両リング体によって第２装飾部材７６の前後方向の変位が抑制されるようになっている。また、軸受取着部材７８に、前記設置部材２２に設けられている第１固定部９２が固定される被固定部７８ｂが設けられている。
【００５６】
前記転がり軸受７７に配設された前記第２装飾部材７６は、前記第１装飾部材６８が第１位置と第２位置との間を移動する移動面より後側を移動するように設定されている。そして、前記第２作動歯車６３に軸支持部７５ａで連結されて該軸支持部７５ａから径方向に延出する腕部７５ｂが機構取付部材５７の裏方を延在する第２支持部材７５は、該腕部７５ｂの延出端部が前側に向けて折曲され、この折曲部７５ｃの前端に軸支持部７５ａから離間する方向に延在する取着部８０が形成されて、該取着部８０を介して第２支持部材７５と第２装飾部材７６とが連繋されている。この取着部８０には、該取着部８０の延在方向に延在する長孔８０ａが形成されており、該長孔８０ａに、第２装飾部材７６の裏面に配設した連繋部材８１が移動自在に挿通されている。すなわち、第２支持部材７５が第２作動歯車６３の第２作動軸６３ａを中心として回動するのに伴って連繋部材８１が長孔８０ａ内を移動することで、第２装飾部材７６が転がり軸受７７およびガイド孔７８ａに案内されて直線的に移動するよう構成されている。
【００５７】
前記第２装飾部材７６は、前記転がり軸受７７の可動受部７７ｂが裏面に固定されたベース部７６ａと、該ベース部７６ａの前面に配設された装飾用発光基板７６ｂと、該装飾用発光基板７６ｂの前側を覆うレンズ部材７６ｄと、第２装飾部材７６の最前面に位置してレンズ部材７６ｄを前側から覆う装飾カバー体７６ｅとを備える。装飾カバー体７６ｅは、光透過性を有する合成樹脂を素材としてパチンコ機１０のモチーフに合わせた文字や図形等を表わす形状に形成されると共に、該装飾カバー体７６ｅには光拡散処理が施されている。また、装飾用発光基板７６ｂの前面に、ＬＥＤ等の発光体７６ｃが複数設けられている。前記レンズ部材７６ｄは、光透過性を有する合成樹脂を素材として、各発光体７６ｃと対向する位置にレンズ部が形成されると共に、その他の領域に光拡散処理が施されている。すなわち、発光体７６ｃを点灯することで、レンズ部材７６ｄを介して装飾カバー体７６ｅの広範囲に光が照射されて、該装飾カバー体７６ｅの全体が明輝されるようになっている。
【００５８】
ここで、前記第１および第２可動体６４,７４は、第１位置では図３,図７に示す如く、第１および第２装飾部材６８,７６が前記基板取付部材５０(固定装飾部材５２ａ,５２ｂ)を挟む上下位置に位置するように相互に離間しており、前記駆動モータ５８を正転駆動した場合は、第１装飾部材６８が上方から右下方に向けて弧状の軌道で移動するのに対し、第２装飾部材７６は下方から右上方に向けて直線の軌道で移動して、第２位置では図１８に示す如く、第１および第２装飾部材６８,７６が前記枠状装飾体４２における開口部４２ａの中央側の前側において上下に並んだ状態となるよう構成される。また、第１および第２装飾部材６８,７６の装飾カバー体６８ｅ,７６ｅの形状は関連する形状とされており、関連する形状の第１および第２可動体６４,７４が第２位置に移動することで近接して並ぶ動きによって演出の興趣を向上し得るようになっている。なお、前記機構取付部材５７の前側を延在する第１可動体６４の第１支持部材６５と、該機構取付部材５７の後側を延在する第２可動体７４の第２支持部材７５とは、第２位置において前後に離間した状態で交差する(図２０参照)。
【００５９】
図１１,図１２に示す如く、前記第２作動歯車６３に検出片６３ｂが設けられ、該検出片６３ｂは、前記機構取付部材５７に配設された検出手段８２によって検出可能に構成されている。検出手段８２は、前記制御手段に配線接続されており、該検出手段８２からの検出信号の入力に基づいて制御手段が駆動モータ５８を駆動制御し得るよう構成される。前記検出片６３ｂは、第１位置において検出手段８２で検出されて、該検出手段８２の検出信号の入力に基づいて駆動モータ５８を制御手段が停止制御することで、第１および第２可動体６４,７４を第１位置に停止保持し得るよう構成される。前記駆動モータ５８としてステッピングモータが採用され、該駆動モータ５８の駆動によって第１位置から移動を開始した第１および第２可動体６４,７４を、移動パルス信号の制御によって第２位置で停止するように駆動モータ５８を制御手段で駆動制御し得るよう構成されている。
【００６０】
(第２演出装置Ｎ２について)
前記設置部材２２の右画壁部９１ｄに複数の第２固定部９３を介して固定されて前記右板部９０ｄの前側に配置される前記第２演出装置Ｎ２は、第２発光演出装置Ｈ２および第２可動演出装置Ｋ２を備えている。この第２演出装置Ｎ２における第２発光演出装置Ｈ２および第２可動演出装置Ｋ２の基本的な構成は前記第１演出装置Ｎ１の第２発光演出装置Ｈ２および第２可動演出装置Ｋ２と同じであって、配設向きが左右逆となっている。そこで、第２演出装置Ｎ２の構成については、第１演出装置Ｎ１と異なる部分についてのみ説明することとして、同一機能の部材には同一符号を付して詳細説明は省略する。
【００６１】
図１６,図１７,図２１,図２２に示す如く、前記第２演出装置Ｎ２を構成する第２発光演出装置Ｈ２および第２可動演出装置Ｋ２は、基板取付部材５０を挟んで前後の関係で組み付けられており、第２発光演出装置Ｈ２を構成する基板取付部材５０に設けた被固定部５０ｃを前記右画壁部９１ｄの対応する第２固定部９３にネジ止め固定することで設置部材２２に位置決め固定した状態で、該基板取付部材５０と設置部材２２の右板部９０ｄとの間に画成される第２収容空間２７ｂに第２可動演出装置Ｋ２が収容されるようになっている(図５参照)。また第２演出装置Ｎ２では、第２可動演出装置Ｋ２により動作される第１および第２可動体６４,７４は、枠状装飾体４２における開口部４２ａの右側縁側の第１位置と、この第１位置より開口部４２ａの中央側に第１および第２装飾部材６８,７６が臨む第２位置(図１８参照)との間で往復移動するよう構成される。
【００６２】
前記第２演出装置Ｎ１の基板取付部材５０の前面に配設される発光基板５１には、図１６に示す如く、該基板取付部材５０に設けられた第１案内部５３と第２案内部５３との間に延在する第２延在部５４ｃと、第２案内部５３の下側を延在する第３延在部５４ｄとが設けられている。すなわち、前記第１発光演出装置Ｈ１の発光基板５１には３つの延在部５４ｂ,５４ｃ,５４ｄが設けられるのに対し、第２発光演出装置Ｈ２の発光基板５１には２つの延在部５４ｃ,５４ｄが設けられている点が異なっている。
【００６３】
ここで、第２演出装置Ｎ２においては、前記第１および第２可動体６４,７４は、第１位置では図１６,図１７に示す如く、第１および第２装飾部材６８,７６が前記基板取付部材５０(固定装飾部材５２ａ,５２ｂ)を挟む上下位置に位置するように相互に離間しており、前記駆動モータ５８を正転駆動した場合は、第１装飾部材６８が上方から左下方に向けて弧状の軌道で移動するのに対し、第２装飾部材７６は下方から左上方に向けて直線の軌道で移動して、第２位置では図１８に示す如く、第１および第２装飾部材６８,７６が前記枠状装飾体４２における開口部４２ａの中央側の前側において上下に並んだ状態となるよう構成される。また、第２演出装置Ｎ２においても第１および第２装飾部材６８,７６の装飾カバー体６８ｅ,７６ｅの形状は関連する形状とされており、関連する形状の第１および第２可動体６４,７４が第２位置に移動することで近接して並ぶ動きによって演出の興趣を向上し得るようになっている(図２１参照)。更に、実施例では、第１演出装置Ｎ１および第２演出装置Ｎ２の夫々の第１および第２装飾部材６８,７６の装飾カバー体６８ｅ,７６ｅの形状が関連する形状とされており、図１８に示す如く、開口部４２ａの中央側に４つの装飾部材６８,７６,６８,７６が相互に近接することで、インパクトを与えると共に興趣を向上し得るようになっている。なお、前記機構取付部材５７の前側を延在する第１可動体６４の第１支持部材６５と、該機構取付部材５７の後側を延在する第２可動体７４の第２支持部材７５とは、第２位置において前後に離間した状態で交差する(図２２参照)。
【００６４】
〔実施例の作用〕
次に、前述した実施例に係るパチンコ機１０の作用につき説明する。
【００６５】
前記前枠１３に設けられた前記操作ハンドル１６の操作レバー１６ａを遊技者が回転操作すると、前記打球発射装置から発射されたパチンコ球が前記板状部材２１の遊技領域２１ａ内に打ち出される。この遊技領域２１ａに打ち出されたパチンコ球は、前記枠状装飾体４２の外周囲を流下し、該パチンコ球が前記始動入賞口に入賞すると、前記制御手段の制御に基づいて前記表示装置１７の表示部１７ａにおいて図柄が変動開始され、所要の図柄変動演出が展開される。表示部１７ａで展開される図柄変動演出の結果、該表示部１７ａに所定の図柄組合わせで図柄が停止表示されたときに大当りが発生する。そして、大当りが発生すると、表示装置１７の表示部１７ａに表示された図柄組み合わせ(大当りの種類)に応じて、前記板状部材２１の下部に設けられた第１の特別入賞装置３１および前記枠状装飾体４２に設けられた第２の特別入賞装置３２の特別入賞口が所要のパターンで開放され、遊技者は多くの賞球が獲得可能となる。
【００６６】
前記表示装置１７の表示部１７ａで展開される図柄変動演出に応じて、前記制御手段の制御に基づいて前記演出装置Ｎ１,Ｎ２の発光演出装置Ｈ１,Ｈ２の各発光体５１ａ,５１ａが点灯することで、前記基板取付部材５０の前側に配設された固定装飾部材５２ａ,５２ｂが明輝する発光演出が行われて、遊技の興趣が高められる。実施例では、固定装飾部材５２ａ,５２ｂは、着色された２つの第１種固定装飾部材５２ａ,５２ａの間に透明な第２種固定装飾部材５２ｂが配置されており、発光体５１ａ,５１ａが点灯した場合に種類が異なる固定装飾部材５２ａ,５２ｂが明輝することでより興趣が向上する。また、制御手段の制御に基づいて、各演出装置Ｎ１,Ｎ２の可動演出装置Ｋ１,Ｋ２により可動体６４,７４,６４,７４が動作する演出が実行され、この動作演出によって遊技の興趣が一層高められる。
【００６７】
(第１および第２可動演出装置Ｋ１,Ｋ２の作用について)
前記第１および第２可動演出装置Ｋ１,Ｋ２の作用は同じであるので、第１可動演出装置Ｋ１の作用についてのみ説明する。
【００６８】
前記第１可動演出装置Ｋ１は、図７に示す如く、前記第１可動体６４の第１位置において、該第１可動体６４における第１支持部材６５が前記基板取付部材５０の裏側に重なった状態で、前記第１装飾部材６８が基板取付部材５０(固定装飾部材５２ａ,５２ｂ)の上側に露出している。また、前記第２可動体７４の第１位置において、該第２可動体７４における第２支持部材７５の一部が基板取付部材５０の裏側に重なった状態で、前記第２装飾部材７６が基板取付部材５０の下側に露出している(図３参照)。
【００６９】
前記第１可動演出装置Ｋ１は、常には第１および第２可動体６４,７４が第１位置にあり、前記表示装置１７の表示部１７ａで行われる図柄変動演出に連動して、または独立して、第１および第２可動体６４,７４が第１位置と第２位置との間で往復移動される。具体的には、第１可動演出装置Ｋ１は、駆動モータ５８を正転方向に回転駆動すると、第１作動歯車６１と第２作動歯車６３とが相互に逆方向に回転する。これにより、前記第１支持部材６５は第１作動軸６１ａを中心として時計回り方向に回転することで、前記第１装飾部材６８が前記枠状装飾体４２の開口部４２ａの中央側の前側、すなわち表示装置１７における表示部１７ａの前側に移動しつつ右下方へ移動する。これに対し、前記第２支持部材７５が第２作動歯車６３の第２作動軸６３ａを中心として反時計回り方向に回転することで、該第２支持部材７５の回転に伴って前記転がり軸受７７およびガイド孔７８ａで案内される前記第２装飾部材７６が右上方に向けて直線的に移動する。
【００７０】
前記駆動モータ５８が予め設定された回転数(パルス数)だけ回転すると、前記制御手段により駆動モータ５８が停止制御され、前記第１および第２可動体６４,７４が第２位置で停止し、図１８に示す如く、第１および第２装飾部材６８,７６は、前記開口部４２ａの中央側の前側で上下に並んだ状態に維持される。第２位置において開口部４２ａから前側に露出する両装飾部材６８,７６の各発光体６８ｃ,７６ｃを点灯することで、上下に並んだ装飾カバー体６８ｅ,７６ｅが明輝されて、前記表示装置１７の表示部１７ａで行われている図柄変動演出と相俟って演出効果が向上する。しかも、上下に並ぶ装飾カバー体６８ｅ,７６ｅは関連する形状に形成されているので、一層興趣が高まる。更に、実施例では、第１演出装置Ｎ１および第２演出装置Ｎ２の夫々の装飾カバー体６８ｅ,７６ｅの形状が関連する形状とされているので、図１８に示す如く、開口部４２ａの中央側に４つの装飾部材６８,７６,６８,７６が相互に近接する動作によってインパクトを与えると共に、興趣をより一層向上することができる。
【００７１】
前記駆動モータ５８が逆転方向に回転駆動されると、前記第１および第２支持部材６５,７５が相互に逆方向に回転することで、第１および第２装飾部材６８,７６は上下方向に離間しつつ枠状装飾体４２の開口部４２ａの中央側から左方に移動する。そして、前記検出手段８２が検出片６３ｂを検出することで、前記制御手段が駆動モータ５８を停止制御し、第１および第２可動体６４,７４は第１位置で停止し、第１および第２装飾部材６８,７６は該開口部４２ａの左縁部側で上下に離間した状態に維持される。
【００７２】
前記第１可動演出装置Ｋ１の第１可動体６４は、前記第１支持部材６５に設けた複数の第１案内部材６６が基板取付部材５０に設けた対応する案内部５３で案内される。第１案内部材６６は、対応する案内部５３に対して前後方向の変位が規制された状態で案内されるので(図１４参照)、第１可動体６４の前後方向のぶれは好適に抑制される。すなわち、第１支持部材６５の延出端部に設けられる第１装飾部材６８の前後方向の変位が抑制されて、該第１装飾部材６８が他の部材に接触するのを防ぐことができる。
【００７３】
前記第１可動演出装置Ｋ１は、図６に示す如く、第２支持部材７５の軸支持部７５ａに対して前側に変位するように位置する第２装飾部材７６を、滑り軸受構造と比べて摺動負荷が低い転がり軸受７７を介して支持するよう構成したので、第２装飾部材７６を円滑に動作させることができる。すなわち、第２支持部材７５を折曲して第２装飾部材７６に連繋する構成においても、該第２支持部材７５に加わる負荷を軽減することができる。また、第２装飾部材７６は、転がり軸受７７とガイド孔７８ａとの２箇所で案内されるので、該第２装飾部材７６が前後方向に変位するのは抑制され、第２装飾部材７６が移動中に他の部材に接触するのを防ぐことができる。
【００７４】
実施例のパチンコ機１０では、第１可動体６４を案内する案内部５３を、発光基板５１が配設される基板取付部材５０に設けているので、案内部５３を設けるための別部材を省略することができ、省スペース化を図り得る。すなわち、基板取付部材５０と第１可動体６４との間に案内部を設けた別部材を配設することで前後寸法が大きくなるのを防ぐことができる。これにより、第１演出装置Ｎ１(第２演出装置Ｎ２)のコンパクト化を図ることができるので、該第１演出装置Ｎ１(第２演出装置Ｎ２)の配置に係る設計の自由度が高くなり、第１演出装置Ｎ１(第２演出装置Ｎ２)を動作演出による効果を高め得る位置に配置して第１および第２可動体６４,７４の動作や前記第１発光演出装置Ｈ１(第２発光演出装置Ｈ２)による発光演出の興趣を向上し得る。また、案内部５３によって第１および第２可動体６４,７４の前後方向の変位は防止されるので、該第１および第２可動体６４,７４が移動時に他の部材と干渉しないように他の部材との間に大きな隙間を設ける必要はなく、より省スペース化を図り得る。また、第１演出装置Ｎ１(第２演出装置Ｎ２)では、基板取付部材５０の後側に駆動機構５６を重ねて配置したので(図５参照)、該基板取付部材５０の外側方に駆動機構５６が延出することで第１演出装置Ｎ１(第２演出装置Ｎ２)が大型化して設置スペースが増大するのを抑制できる。
【００７５】
前記第１可動体６４は、第１支持部材６５の長手方向および幅方向に離間する複数の第１案内部材６６が基板取付部材５０に設けた対応する案内部５３で案内される構成であるので、第１可動体６４の移動時の安定化を図り得る。また、図７に示す如く、発光基板５１に設けられて案内部５３,５３を囲むように位置する各延在部５４ｂ,５４ｃ,５４ｄにも発光体５１ａが実装されているので、該案内部５３,５３の形成位置の近傍においても前記固定装飾部材５２ａ,５２ｂを照明して明輝させることができる。すなわち、第１発光演出装置Ｈ１(第２発光演出装置Ｈ２)によって照明される固定装飾部材５２ａ,５２ｂにおける非照明領域を最小限に止めることができ、固定装飾部材５２ａ,５２ｂの全体を明輝して演出効果を向上し得る。
【００７６】
図１５に示す如く、前記中継基板６９に一端が接続されて前記第１可動体６４の軸支持部６５ａに設けた環状空間７３に引き込まれるフラットケーブル７０の可撓部７０ａは、幅方向が前記第１作動軸６１ａの軸方向に沿う姿勢となっているので、第１可動体６４が第１作動軸６１ａを中心として回転する際には可撓部７０ａが円滑に変形し、該フラットケーブル７０に大きな負荷が加わることはない。また、前記中継基板６９を第１作動軸６１ａに沿って立てた姿勢で設置することで、該中継基板６９との接続部から装飾用発光基板６８ｂとの接続部までの間でのフラットケーブル７０の折り返しは１回で済むので、該フラットケーブル７０の引き回し作業を容易にすると共に、折り反し部位が増加することによる断線の発生率を低減し得る。
【００７７】
前記第１演出装置Ｎ１(第２演出装置Ｎ２)は、前記基板取付部材５０を挟んで前側に第１発光演出装置Ｈ１(第２発光演出装置Ｈ２)を配設すると共に裏側に第１可動演出装置Ｋ１(第２可動演出装置Ｋ２)を配設する構成であるので、基板取付部材５０を単位とするユニット単位で前記設置部材２２に対して着脱することができ、故障や部品交換等のメンテナンスは容易である。
【００７８】
前記第１可動演出装置Ｋ１(第２可動演出装置Ｋ２)では、１つの駆動モータ５８により、２つの可動体６４,７４を動作させることができる。また、第１可動体６４の第１支持部材６５と第２可動体７４の第２支持部材７５とを前後に離間して配置してあるから、両支持部材６５,７５が移動中に干渉することはない。しかも、２つの可動体６４,７４を独立したモータで夫々動作するものではないから、モータを２つ設けた場合に比ベて部品点数を低減し得ると共に設置スペースを小さくでき、かつ制御手段にかかる負担を軽減し得る。
【００７９】
前記第１可動演出装置Ｋ１(第２可動演出装置Ｋ２)では、第１支持部材６５と第２支持部材７５とを前後に離間して交差するように配置したので(図１９,図２２参照)、第１位置において一対の可動体６４,７４をコンパクトな形態としたもとで、駆動モータ５８の少ない回転量で一対の可動体６４,７４を大きく移動させることができる。すなわち、第１位置において枠状装飾体４２の開口部４２ａの左縁部(第２可動演出装置Ｋ２では右縁部)に位置する可動体６４,７４を開口部４２ａの中央側に大きく延出させることができるので、インパクトを与えて遊技の興趣を向上し得る。
【００８０】
(変更例)
本願発明は、前述した実施例の構成に限定されるものではなく、その他の構成を適宜に採用することができる。
(1) 実施例では、演出装置を設置部材の左右両側に配設したが、上下両側に配設する構成や左右何れか一方または上下何れか一方にのみ演出装置を配設する構成を採用し得る。
(2) 実施例では、可動演出装置に配設した２つの可動体に関し、一方の可動体の装飾部材を円弧軌道を描くように移動させると共に、他方の可動体の装飾部材を直線軌道で移動させるように構成したが、２つの装飾部材を何れも円弧軌道を描くように移動させたり直線軌道で移動させる構成を採用し得る。
(3) 実施例では、可動演出装置に２つの可動体を配設したが、可動体は１つでも３つ以上であってもよい。
(4) 実施例では、基板取付部材に可動体を移動可能に配設したが、設置部材に移動可能に配設した可動体を基板取付部材に設けた案内部によって案内する構成を採用し得る。
(5) 実施例では、基板取付部材に配設した発光基板に、側方に開放する切欠きを設けることで案内部の一部を囲ようにしたが、発光基板に、案内部に対応する板厚方向に貫通する開口部を形成し、該開口部内に案内部が臨むよう基板取付部材に発光基板を配設することで、該発光基板で案内部の全体を囲う構成としてもよい。
(6) 実施例では、可動体を２つの案内部で案内するよう構成したが、案内部は１つまたは３つ以上であってもよく、該案内部の数に合わせた数の案内部材を可動体に設ければよい。
(7) 実施例では、可動体を移動させる駆動機構としてモータと歯車とを組み合わせた機構を用いたが、モータとリンク機構とを組み合わせた機構、モータとラックアンドピニオン機構とを組み合わせた機構等、その他公知の各種機構を採用し得る。
(8) 遊技機としては、パチンコ機に限られるものではなく、アレンジボール機や遊技媒体として遊技球やメダルを用いたスロットマシン等、その他各種の遊技機であってもよい。すなわち、基板取付部材や可動体が配設可能な設置部を備えるよう構成された遊技機に対して好適に採用可能である。
【符号の説明】
【００８１】
２２ 設置部材(設置部)
５０ 基板取付部材
５１ 発光基板
５１ａ 発光体
５２ａ 第１種固定装飾部材(装飾部)
５２ｂ 第２種固定装飾部材(装飾部)
５３ 案内部
５７ 機構取付部材
５７ａ 取付突部(突部)
６１ａ 第１作動軸(作動軸)
６４ 第１可動体(可動体)
６５ 第１支持部材(支持部材)
６５ａ 軸支持部
６５ｂ 腕部
６５ｄ 配線用凹部
６６ 第１案内部材(案内部材)
６８ 第１装飾部材(装飾部材)
６８ｂ 装飾用発光基板
６９ 中継基板
６９ａ コネクタ
７０ フラットケーブル
７１ 内筒部
７２ 外筒部
７２ａ 開口部
７３ 環状空間
７４ 第２可動体(可動体)
７５ 第２支持部材(支持部材)
７６ 第２装飾部材(装飾部材)
Ｎ１ 第１演出装置(演出装置)
Ｎ２ 第２演出装置(演出装置)
【図１】
0006265867.tif 000002
【図２】
0006265867.tif 000003
【図３】
0006265867.tif 000004
【図４】
0006265867.tif 000005
【図５】
0006265867.tif 000006
【図６】
0006265867.tif 000007
【図７】
0006265867.tif 000008
【図８】
0006265867.tif 000009
【図９】
0006265867.tif 000010
【図１０】
0006265867.tif 000011
【図１１】
0006265867.tif 000012
【図１２】
0006265867.tif 000013
【図１３】
0006265867.tif 000014
【図１４】
0006265867.tif 000015
【図１５】
0006265867.tif 000016
【図１６】
0006265867.tif 000017
【図１７】
0006265867.tif 000018
【図１８】
0006265867.tif 000019
【図１９】
0006265867.tif 000020
【図２０】
0006265867.tif 000021
【図２１】
0006265867.tif 000022
【図２２】
0006265867.tif 000023